(57)【要約】【課題】  外部からの磁石を使用した不正な解錠が試みられた場合であっても、施解錠装置の施解錠状態が的確に把握できるアラーム装置を備えた防犯システムと、該防犯システムを備えた開口部装置とを提供する。【解決手段】  回動部１０３と固定部１０１とを備えた施解錠装置１００に適用される防犯用のアラーム装置であって、回動部先端近傍に内蔵された磁石１２０と、固定部に内蔵されるとともに施錠時において磁石に対応する位置に配置される第１の磁気センサ１２５と、第１の磁気センサ近傍で、かつ回動部の動作範囲内にあっては磁石を感知しない位置に配置された第２の磁気センサ１２７と、第１及び第２の磁気センサの感知信号を受信する制御部１５０とを備え、制御部は、第１及び第２の磁気センサのいずれも感知信号を発していないとき、及び第２の磁気センサが感知信号を発している場合に、異常事態が生じた旨の信号を発信する。【選択図】      図５
2005113616.tif 000002
【特許請求の範囲】
【請求項１】
回動部と固定部とを備えた施解錠装置に適用される防犯用のアラーム装置であって、
前記回動部先端近傍に内蔵された磁石と、
前記固定部に内蔵されるとともに施錠時において前記磁石に対応する位置に配置される第１の磁気センサと、
前記第１の磁気センサ近傍で、かつ前記回動部の動作範囲内にあっては前記磁石を感知しない位置に配置された第２の磁気センサと、
前記第１及び第２の磁気センサの感知信号を受信する制御部とを備え、
前記制御部は、前記第１及び第２の磁気センサのいずれも感知信号を発していないとき、及び前記第２の磁気センサが感知信号を発している場合に、異常事態が生じた旨の信号を発信することを特徴とするアラーム装置。
【請求項２】
縦枠、および横枠からなる枠体と、前記枠体に納められた、縦框、および横框を具備する可動障子とを備え、前記可動障子の前記縦框には、回動部と固定部とを備えた施解錠装置と該施解錠装置に適用される防犯用のアラーム装置を備えた開口部装置であって、
前記アラーム装置は、前記回動部先端近傍に内蔵された磁石と、前記固定部に内蔵されるとともに施錠時において前記磁石に対応する位置に配置される第１の磁気センサと、前記第１の磁気センサ近傍で、かつ前記回動部の動作範囲内にあっては前記磁石を感知しない位置に配置された第２の磁気センサと、前記第１及び第２の磁気センサの感知信号を受信する制御部とを備え、
前記制御部は、前記第１及び第２の磁気センサのいずれも感知信号を発していないとき、及び前記第２の磁気センサが感知信号を発している場合に、異常事態が生じた旨の信号を発信することを特徴とする制御部である開口部装置。
【請求項３】
回動部と固定部とを備えた施解錠装置に適用される防犯用のアラーム装置であって、
前記回動部先端近傍に内蔵された磁石と、
前記固定部に内蔵されるとともに施錠時において前記磁石に対応する位置に配置される第１の磁気センサと、
前記第１の磁気センサの感知信号を受信するとともに前記第１の磁気センサ近傍に配置される制御部と、
前記制御部に内蔵される第２の磁気センサとを備え、
前記制御部は、前記第２の磁気センサの感知信号を受信するとともに、前記第２の磁気センサが前記回動部の動作範囲内にあっては前記磁石を感知しない位置に配置され、
さらに前記制御部は、前記第１及び第２の磁気センサのいずれも感知信号を発していないとき、及び前記第２の磁気センサが感知信号を発している場合に、異常事態が生じた旨の信号を発信することを特徴とするアラーム装置。
【請求項４】
縦枠、および横枠からなる枠体と、前記枠体に納められた、縦框、および横框を具備する可動障子とを備え、前記可動障子の前記縦框には、回動部と固定部とを備えた施解錠装置と該施解錠装置に適用される防犯用のアラーム装置を備えた開口部装置であって、
前記アラーム装置は、前記回動部先端近傍に内蔵された磁石と、前記固定部に内蔵されるとともに施錠時において前記磁石に対応する位置に配置される第１の磁気センサと、前記第１の磁気センサの感知信号を受信するとともに前記第１の磁気センサ近傍に配置される制御部と、前記制御部に内蔵される第２の磁気センサとを備え、
前記制御部は、前記第２の磁気センサの感知信号を受信するとともに、前記第２の磁気センサが前記回動部の動作範囲にあっては前記磁石を感知しない位置に配置され、
さらに前記制御部は、前記第１及び第２の磁気センサのいずれも感知信号を発していないとき、及び前記第２の磁気センサが感知信号を発している場合に、異常事態が生じた旨の信号を発信することを特徴とする制御部である開口部装置。
【発明の詳細な説明】
【技術分野】
【０００１】
本発明は、施解錠装置に取り付けられたアラーム装置、およびアラーム装置を備えた開口部装置に関する。
【背景技術】
【０００２】
近年、空き巣等の犯罪件数の増大に伴い、建物のドア、窓等の施解錠装置に防犯システムを取り付ける場合が多い。防犯システムには、サッシのクレセント等の施解錠装置の近傍に設置され、このクレセントの施解錠信号を送信する複数の子機と、複数の子機からの施解錠信号を受信して各子機の施解錠状態を表示する親機とを備え、この親機を玄関等に設置し、外出時、または就寝時に、この親機で各サッシの戸締り状態を確認するシステムが使用されている。
【０００３】
実際に外部からサッシのガラスパネル等が破壊され、クレセントが解錠された場合にはクレセントの近傍に設置された子機が察知して親機に信号を送信し、信号を受信した親機は、家主の携帯電話等に信号を送信して不法侵入を伝えるシステムとなっている。さらに、セキュリティーシステム等に加入している場合には、管理室に非常信号が送信されるようシステム化することも可能である。
【０００４】
特許文献１には、開口部装置に取り付けられた防犯システムが開示されており、図９にはその子機３００、およびクレセント４００が示されている。サッシは、内障子と外障子とを備える引き違いサッシであり、子機３００はクレセント４００に隣接して設けられている。レバー部４１０には磁石が埋設されており、子機３００には磁石に対向するセンサ４１０ａ、および４１０ｂが配備されている。なお、センサ４１０ａ、および４１０ｂは、子機３００の下端部４２０に内蔵されているため破線で示す。
【０００５】
施錠時においては磁石がセンサ４１０ａ、および４１０ｂに近接されたオン状態を感知し、解錠時においては磁石が離隔されたオフ状態を感知している。そのため、防犯システムの作動時において磁石が離隔されると不正解除等が行われたとみなされ、異常事態として認識される。これらの情報は、いずれも子機３００から親機に信号として発信される。
【特許文献１】特開２００２−２１３１２２号公報
【発明の開示】
【発明が解決しようとする課題】
【０００６】
しかし、クレセントに内蔵された磁石の離隔を感知して異常事態を認識するセンサに、外部から他の磁石をセンサに近接させて偽施錠状態を認識させ、実際のクレセントを解錠するような不正解錠方法も取り得るというおそれがあった。そのため、上述のような不正解錠が試みられてもクレセントの施解錠状態が的確に親機に発信される防犯システムが望まれていた。
【０００７】
そこで、本発明は、外部からの磁石を使用した不正な解錠が試みられた場合であっても、施解錠装置の施解錠状態が的確に把握できるアラーム装置を備えた防犯システムと、該防犯システムを備えた開口部装置とを提供することを課題とする。
【課題を解決するための手段】
【０００８】
以下、本発明について説明する。なお、本発明の理解を容易にするために添付図面の参照符号を括弧書きにて付記するが、それにより本発明が図示の形態に限定されるものではない。
【０００９】
請求項１の発明は、回動部（１０３）と固定部（１０１）とを備えた施解錠装置（１００）に適用される防犯用のアラーム装置であって、回動部先端近傍に内蔵された磁石（１２０）と、固定部に内蔵されるとともに施錠時において磁石に対応する位置に配置される第１の磁気センサ（１２５）と、第１の磁気センサ近傍で、かつ回動部の動作範囲内にあっては磁石を感知しない位置に配置された第２の磁気センサ（１２７）と、第１及び第２の磁気センサの感知信号を受信する制御部（１５０）とを備え、制御部は、第１及び第２の磁気センサのいずれも感知信号を発していないとき、及び第２の磁気センサが感知信号を発している場合に、異常事態が生じた旨の信号を発信することを特徴とするアラーム装置を提供して前記課題を解決する。
【００１０】
請求項１の発明によれば、アラーム装置に備えられた制御部が、第１の磁気センサ、および第２の磁気センサの磁石の感知状況を統一して管理しており、第１の磁気センサが永久磁石を感知していない状態では、第２の磁気センサが回動部の外部から不正に近接された磁石を感知しているときも、また感知していないときも異常信号を発信し、第１の磁気センサが永久磁石を感知している状態であっても、第２の磁気センサが不正に近接された磁石を感知すれば不正解錠とみなして異常信号を発信する。さらに、第１の磁気センサが永久磁石のかわりに不正に近接された磁石を感知し、第２の磁気センサが不正に近接された磁石を感知している状態であっても不正解錠とみなして異常信号を発信することができる。
【００１１】
請求項２の発明は、縦枠（５３、５４）、および横枠（５１、５２）からなる枠体（５０）と、枠体に納められた、縦框（６３、６４）、および横框（６１、６２）を具備する可動障子（６０）とを備え、可動障子の縦框には、回動部（１０３）と固定部（１０１）とを備えた施解錠装置（１００）と該施解錠装置に適用される防犯用のアラーム装置を備えた開口部装置（２００）であって、アラーム装置は、回動部先端近傍に内蔵された磁石（１２０）と、固定部に内蔵されるとともに施錠時において磁石に対応する位置に配置される第１の磁気センサ（１２５）と、第１の磁気センサ近傍で、かつ回動部の動作範囲内にあっては磁石を感知しない位置に配置された第２の磁気センサ（１２７）と、第１及び第２の磁気センサの感知信号を受信する制御部（１５０）とを備え、制御部は、第１及び第２の磁気センサのいずれも感知信号を発していないとき、及び第２の磁気センサが感知信号を発している場合に、異常事態が生じた旨の信号を発信することを特徴とする制御部である開口部装置を提供する。
【００１２】
請求項２の発明によれば、開口部装置は、アラーム装置を備えており、アラーム装置に備えられた制御部が、第１の磁気センサ、および第２の磁気センサの磁石の感知状況を統一して管理しており、第１の磁気センサが永久磁石を感知していない状態では、第２の磁気センサが回動部の外部から不正に近接された磁石を感知しているときも、また感知していないときも異常信号を発信し、第１の磁気センサが永久磁石を感知している状態であっても、第２の磁気センサが不正に近接された磁石を感知すれば不正解錠とみなして異常信号を発信する。さらに、第１の磁気センサが永久磁石のかわりに不正に近接された磁石を感知し、第２の磁気センサが不正に近接された磁石を感知している状態であっても不正解錠とみなして異常信号を発信することができる。
【００１３】
請求項３の発明は、回動部（１０３）と固定部（１０１）とを備えた施解錠装置（１００）に適用される防犯用のアラーム装置であって、回動部先端近傍に内蔵された磁石（１２０）と、固定部に内蔵されるとともに施錠時において磁石に対応する位置に配置される第１の磁気センサ（１２５）と、第１の磁気センサの感知信号を受信するとともに第１の磁気センサ近傍に配置される制御部（１５０）と、制御部に内蔵される第２の磁気センサ（１２７）とを備え、制御部は、第２の磁気センサの感知信号を受信するとともに、第２の磁気センサが回動部の動作範囲内にあっては磁石を感知しない位置に配置され、さらに制御部は、第１及び第２の磁気センサのいずれも感知信号を発していないとき、及び第２の磁気センサが感知信号を発している場合に、異常事態が生じた旨の信号を発信することを特徴とするアラーム装置を提供する。
【００１４】
請求項３の発明によれば、アラーム装置に備えられた制御部には第２の磁気センサが内蔵されているため、制御部を取り付ければ第２の磁気センサも同時に取り付けることができるので作業を簡略化できる。また、制御部は、固定部に内蔵されている第１の磁気センサと、制御部に内蔵されている第２の磁気センサの磁石の感知状況を統一して管理しており、第１の磁気センサが永久磁石を感知していない状態では、第２の磁気センサが回動部の外部から不正に近接された磁石を感知しているときも、また感知していないときも異常信号を発信し、第１の磁気センサが永久磁石を感知している状態であっても、第２の磁気センサが不正に近接された磁石を感知すれば不正解錠とみなして異常信号を発信する。さらに、第１の磁気センサが永久磁石のかわりに不正に近接された磁石を感知し、第２の磁気センサが不正に近接された磁石を感知している状態であっても不正解錠とみなして異常信号を発信することができる。
【００１５】
請求項４の発明は、縦枠（５３、５４）、および横枠（５１、５２）からなる枠体（５０）と、枠体に納められた、縦框（６３、６４）、および横框（６１、６２）を具備する可動障子（６０）とを備え、可動障子の縦框には、回動部（１０３）と固定部（１０１）とを備えた施解錠装置（１００）と該施解錠装置に適用される防犯用のアラーム装置を備えた開口部装置（２００）であって、アラーム装置は、回動部先端近傍に内蔵された磁石（１２０）と、固定部に内蔵されるとともに施錠時において磁石に対応する位置に配置される第１の磁気センサ（１２５）と、第１の磁気センサの感知信号を受信するとともに第１の磁気センサ近傍に配置される制御部（１５０）と、制御部に内蔵される第２の磁気センサ（１２７）とを備え、制御部は、第２の磁気センサの感知信号を受信するとともに、第２の磁気センサが回動部の動作範囲にあっては磁石を感知しない位置に配置され、さらに制御部は、第１及び第２の磁気センサのいずれも感知信号を発していないとき、及び第２の磁気センサが感知信号を発している場合に、異常事態が生じた旨の信号を発信することを特徴とする制御部である開口部装置を提供する。
【００１６】
請求項４の発明によれば、開口部装置は、アラーム装置を備えており、アラーム装置に備えられた制御部には第２の磁気センサが内蔵されているため、制御部を取り付ければ第２の磁気センサも同時に取り付けることができるので作業を簡略化できる。また、制御部は、固定部に内蔵されている第１の磁気センサと、制御部に内蔵されている第２の磁気センサの磁石の感知状況を統一して管理しており、第１の磁気センサが永久磁石を感知していない状態では、第２の磁気センサが回動部の外部から不正に近接された磁石を感知しているときも、また感知していないときも異常信号を発信し、第１の磁気センサが永久磁石を感知している状態であっても、第２の磁気センサが不正に近接された磁石を感知すれば不正解錠とみなして異常信号を発信する。さらに、第１の磁気センサが永久磁石のかわりに不正に近接された磁石を感知し、第２の磁気センサが不正に近接された磁石を感知している状態であっても不正解錠とみなして異常信号を発信することができる。
【発明の効果】
【００１７】
請求項１の発明によれば、アラーム装置に備えられた制御部が、第１の磁気センサ、および第２の磁気センサの磁石の感知状況を統一して管理しており、第１の磁気センサが永久磁石を感知していない状態では、第２の磁気センサが回動部の外部から不正に近接された磁石を感知しているときも、また感知していないときも異常信号を発信し、第１の磁気センサが永久磁石を感知している状態であっても、第２の磁気センサが不正に近接された磁石を感知すれば不正解錠とみなして異常信号を発信する。さらに、第１の磁気センサが永久磁石のかわりに不正に近接された磁石を感知し、第２の磁気センサが不正に近接された磁石を感知している状態であっても不正解錠とみなして異常信号を発信することができる。
【００１８】
また、請求項２の発明によれば、開口部装置は、アラーム装置を備えており、アラーム装置に備えられた制御部が、第１の磁気センサ、および第２の磁気センサの磁石の感知状況を統一して管理しており、第１の磁気センサが永久磁石を感知していない状態では、第２の磁気センサが回動部の外部から不正に近接された磁石を感知しているときも、また感知していないときも異常信号を発信し、第１の磁気センサが永久磁石を感知している状態であっても、第２の磁気センサが不正に近接された磁石を感知すれば不正解錠とみなして異常信号を発信する。さらに、第１の磁気センサが永久磁石のかわりに不正に近接された磁石を感知し、第２の磁気センサが不正に近接された磁石を感知している状態であっても不正解錠とみなして異常信号を発信することができる。
【００１９】
また、請求項３の発明によれば、アラーム装置に備えられた制御部には第２の磁気センサが内蔵されているため、制御部を取り付ければ第２の磁気センサも同時に取り付けることができるので作業を簡略化できる。また、制御部は、固定部に内蔵されている第１の磁気センサと、制御部に内蔵されている第２の磁気センサの磁石の感知状況を統一して管理しており、第１の磁気センサが永久磁石を感知していない状態では、第２の磁気センサが回動部の外部から不正に近接された磁石を感知しているときも、また感知していないときも異常信号を発信し、第１の磁気センサが永久磁石を感知している状態であっても、第２の磁気センサが不正に近接された磁石を感知すれば不正解錠とみなして異常信号を発信する。さらに、第１の磁気センサが永久磁石のかわりに不正に近接された磁石を感知し、第２の磁気センサが不正に近接された磁石を感知している状態であっても不正解錠とみなして異常信号を発信することができる。
【００２０】
さらに、請求項４の発明によれば、開口部装置は、アラーム装置を備えており、アラーム装置に備えられた制御部には第２の磁気センサが内蔵されているため、制御部を取り付ければ第２の磁気センサも同時に取り付けることができるので作業を簡略化できる。また、制御部は、固定部に内蔵されている第１の磁気センサと、制御部に内蔵されている第２の磁気センサの磁石の感知状況を統一して管理しており、第１の磁気センサが永久磁石を感知していない状態では、第２の磁気センサが回動部の外部から不正に近接された磁石を感知しているときも、また感知していないときも異常信号を発信し、第１の磁気センサが永久磁石を感知している状態であっても、第２の磁気センサが不正に近接された磁石を感知すれば不正解錠とみなして異常信号を発信する。さらに、第１の磁気センサが永久磁石のかわりに不正に近接された磁石を感知し、第２の磁気センサが不正に近接された磁石を感知している状態であっても不正解錠とみなして異常信号を発信することができる。
【００２１】
本発明のこのような作用及び利得は、次に説明する発明を実施するための最良の形態から明らかにされる。
【発明を実施するための最良の形態】
【００２２】
以下本発明を図面に示す実施形態に基づき説明する。
【００２３】
図１は、本発明に係るアラーム装置を備えた開口部装置の一例としての、引き違い窓２００が閉じられた状態を室外側から概略的に示した正面図である。なお、以下の説明においては、図１の左右により左右の方向を規定する。
【００２４】
図示の引き違い窓２００は、建物（図示せず。）の所定箇所に取り付けられる枠体５０と、枠体５０に取り付けられた２枚の可動障子である内障子６０、および外障子７０とを備えている。
【００２５】
枠体５０は、上枠５１、下枠５２、右縦枠５３、および左縦枠５４によって構成されている。
【００２６】
また、内障子６０は、上框６１と、下框６２と、右縦框６３と、左縦框６４と、これらの框に固定されたガラスパネル６５とを備えており、左縦框６４の室内側には引き手（図１には現れていない。）が取り付けられている。外障子７０との召し合わせ框である右縦框６３（図１においては、下記の外障子７０の左縦框７４と召しあっており現れていない。）の中央部付近には施解錠装置１００（以下において「クレセント１００」という。）と、クレセント１００の近傍に設けられた制御部１５０（以下において「子機１５０」という。）とが取り付けられている。図１においては、室内側のクレセント１００、および子機１５０はガラスパネルを透かして表されている。
【００２７】
外障子７０は、上框７１、下框７２、右縦框７３、左縦框７４、およびこれらの框に固定されたガラスパネル７５を備えており、右縦框７３の室内側には引き手（図１には現れていない。）が取り付けられている。内障子６０との召し合わせ框である左縦框７４にはクレセント１００と係合する係合部７６が設けられている。
【００２８】
図２には、図１において外障子７０を図の左方向に引き寄せて開口部装置２００を開放した状態におけるII−II線に沿った断面図を示している。外障子７０にはガラスパネル１３０ａ、および１３０ｂが、複層ガラスとして上下端部をグレージングチャネル１３１ａ、および１３１ｂを介して上框７１、および下框７２に取り付けられている。下框７２には、滑車１３２が設けられており、下枠５２から上方向に立設されたレール１３３の上に配置されている。滑車１３２が、レール１３３の上を回転しつつ見付け方向へと移動されることによって、障子７０の開閉が可能となっている。一方、上框７１には溝１３４が形成されており、上端部は上枠５１に設けられた突片１３５の厚さとほぼ同じ厚みの溝幅となるよう設けられている。突片１３５が、上框７１に形成された溝１３４に隙間なく差し入れられることによって、障子７０を開閉時にガタつきなく滑らかに見付け方向へと移動させることができる。
【００２９】
同様に、内障子６０にはガラスパネル１３６ａ、および１３６ｂが、複層ガラスとして上下端部をグレージングチャネル１３７ａ、および１３７ｂを介して上框６１、および下框６２に取り付けられている。下框６２には、滑車１３８が設けられており、下枠５２から上方向に立設されたレール１３９の上に配置されている。滑車１３８が、レール１３９の上を回転しつつ見付け方向へと移動されることによって、内障子６０の開閉が可能となっている。一方、上框６１には溝１４０が形成されており、上端部は上枠５１に設けられた突片１４１の厚さとほぼ同じ厚みの溝幅となるよう設けられている。突片１４１が、上框６１に形成された溝１４０に隙間なく差し入れられることによって、内障子６０を開閉時にガタつきなく滑らかに見付け方向へと移動させることができる。
【００３０】
引き違い窓２００を施解錠するための装置として、内障子６０の右縦框（図示せず。）には子機１５０、およびクレセント１００が取り付けられており、クレセント１００に備えられた回動部１０３（以下において「ハンドル部」１０３という。）を回動させることによって施解錠が可能であるように構成されている。
【００３１】
図３はクレセント１００が施錠状態にある様子を概略的に示す図である。以下において室内側正面からクレセント１００を正面視したものを正面図とする。図３（ａ）には左側面図を、また、（ｂ）には正面図を示す。なお、図３（ｂ）は、より詳細な説明のため一部を透視図として表している。
【００３２】
図３（ａ）、および（ｂ）に示されるように、クレセント１００は、主に固定部１０１（以下において、「台座部１０１」という。）と、錠止片１０２と、ハンドル部１０３と、ねじカバー１１０によって構成されている。また、ハンドル部１０３の上端部内部には磁石１２０（外観には現われないため破線にて図示する。）が設けられている。
【００３３】
クレセント１００は上記のとおり、内障子６０の右縦框６３に、図３（ｂ）に示されるねじ１０４により取り付けられている。ねじ１０４の取り付けられている台座部１０１の上部は、ねじ１０４が取り付けられやすいように幅が狭くなっており、右縦框６３にねじ１０４がより深く差込まれるよう構成されている。そのため、台座部１０１下部とは幅差が生じ、スペース部１０５が形成される。このスペース部１０５を外観から覆い隠すために、上記ねじカバー１１０が取り付けられており、台座部１０１が略長方形となっている。このスペース部１０５には、下記の図４の説明において詳述するように、センサ、およびリードが内蔵されている。ねじカバー１１０の上端部には、嵌合部１１１が形成されており、台座部１０１に嵌合されている。また、下端部には係止爪１１２が形成されており、係止爪１１２を、台座部１０１の左側壁１０１ａに形成されている縁１０１ｂに係止し、嵌合部１１１を台座部１０１に固定することによって、ねじカバー１１０が台座部１０１と一体となって固定されている。
【００３４】
図４（ａ）には、ねじカバー１１０の室内面を正面とした場合における左側面図を示す。ねじカバー１１０の下部には、上記台座部へ係止するための係止爪１１２が形成されている。
【００３５】
また、図４（ｂ）には、ねじカバー１１０の右側面図が示されており、係止爪１１２とともに、上記嵌合部１１１が図示されている。ねじカバー１１０の長手方向には第１の磁気センサ１２５（以下において、「第一センサ１２５」という。）が取り付けられており、第一センサ１２５には、ねじカバー１１０を貫通して上方に延ばされている２本のリード１２６ａ、および１２６ｂが取り付けられている。この第一センサ１２５に取り付けられているリード１２６ａ、および１２６ｂによって上記子機１５０に施解錠信号が伝達されている。
【００３６】
第一センサ１２５は、施錠時（ハンドル部１０３の下端部が上方向に略１８０度回転されている状態。）において上記図３に示した磁石１２０と対向する位置に取り付けられており、第一センサ１２５が磁石１２０を感知した状態か、非感知の状態であるかによって親機（親機の詳述については後に説明する。）に施解錠信号が出力されることを可能としている。
【００３７】
図５は、内障子６０の右縦框６３の見込み面６３ａに、クレセント１００、および子機１５０が装着されている様子を概略的に示した斜視図である。なお、図５は施錠時の状態を示している。係合部７６に錠止片１０２が係合されると、ハンドル部１０３に内蔵された磁石１２０がねじカバー１１０に近接する位置へと移動される。ねじカバー１１０には第一センサ１２５が内蔵されており、図５に示した施錠時においては磁石１２０に近接する位置となる。このように、第一センサ１２５に磁石１２０が感知されている状態であるか、非感知の状態であるかにより防犯システムが作動されるよう構成されている。施錠状態に関して、第一センサ１２５から配線されているリード１２６ａ、および１２６ｂを通じて施解錠信号が子機１５０に伝達され、子機１５０に備えられた制御装置（図示せず。）からは施解錠信号が親機（図６参照）に発信される。
【００３８】
一方、クレセント１００が図５に示した矢印方向に回動され、ハンドル部１０３に内蔵されている磁石１２０が、第一センサ１２５から離れてゆくと、リード１２６ａ、および１２６ｂを通じて施解錠信号が子機１５０に伝達され、子機１５０に備えられた制御装置（図示せず。）からは施解錠信号が親機（図６参照）に発信される。このようにして、外出時、または就寝時等にアラーム装置が「ＯＮ」になっていると、外部からの侵入者が解錠を試みた場合はただちに管理者に知られることとなる。
【００３９】
さらに、子機１５０にはＬＥＤ光源１５１が内蔵されている。ＬＥＤ光源は、常時点灯、あるいは点滅して防犯システムの存在を強調しており、建物に侵入しようとするものを威嚇している。
【００４０】
また、図６には外部から磁石が近接された様子を示す。上述のクレセント１００のハンドル部１０３に内蔵された磁石１２０と、第一センサ１２５との組合せによる防犯システム下においては、外部からの侵入者がこの種の防犯機構に特別な知識をもち、外部から磁石１２１を第一センサ１２５に近接させながら、ハンドル部１０３を解錠するおそれがある。外部の磁石１２１が第一センサ１２５に近接されていれば、ハンドル部１０３が回動されて磁石１２０が第一センサ１２５から離れても、第一センサ１２５が磁石１２１の磁力ｍ１を感知していることとなり、解錠信号が子機１５０に伝達されず不正解錠が感知されない。そのため本発明においては、さらに下記に詳述する第２の磁気センサ（以下において、「第二センサ」という。）を備えることによって上記のように不法に侵入をはからんとする者の侵入を防止している。
【００４１】
第二センサ１２７は、子機１５０の左側下部に内蔵されている。上記第一センサ１２５と同様、磁石の近接、および離隔を感知する。なお、第二センサ１２７は、外部から不正に近接された磁石１２１の磁力ｍ２を感知する。下記の防犯システムを作動させた状態では、表１に示すような第一センサ１２５、および第二センサ１２７の磁石の感知状態によって、子機１５０からの異常事態を知らせる解錠信号（表１の説明において、以下、「異常信号」という。）が発信される。
【表１】
2005113616.tif 000003
【００４２】
表１において、「１」で示されたパターン（以下、パターン１という。）は、クレセント１００が施錠状態におかれている場合を表している。なお、表１においては、施錠状態を正常状態とする。上記のとおり、磁石１２０は、第一センサ１２５に感知されており、また、第二センサ１２７は不正に近接された磁石１２１は感知しておらず、パターン１では正常状態にある。
【００４３】
次に、表１において、「２」で示されたパターン（以下、パターン２という。）は、外部からの不法侵入者が、第一センサ１２５に感知される、磁石１２０を備えたハンドル部１０３を不正回動させた場合を表している。この場合、パターン２では外部から磁石１２１は近接されておらず、単純にクレセント１００の不正回動が試みられたものであり、第二センサ１２７は磁石１２１を感知していない。パターン２では、子機１５０から異常信号が発信される。
【００４４】
また、表１において、「３」で示されたパターン（以下、パターン３という。）は、外部からの不法侵入者が、第一センサ１２５に感知される磁石１２０を備えたハンドル部１０３を不正回動させた場合を表している。パターン３では、外部から不正に磁石１２１が近接されている。外部から磁石１２１が近接されると、第一センサ１２５は磁石１２１を感知する。また、第二センサ１２７も磁石１２１を感知する。この状態でハンドル部１０３が不正回動されると、第一センサ１２５はハンドル部１０３の磁石１２０を感知しなくなるが、外部から近接されている磁石１２１を感知しているため、制御装置は不正回動が行われているとは認識されない。しかし、第二センサ１２７が、不正に近接されている磁石１２１を感知しているため制御装置は異常を認識し、子機１５０から異常信号が発信される。
【００４５】
パターン３では、外部から磁石１２１が近接されれば、第二センサ１２７が感知するため、ハンドル部１０３が不正回動されていなくても（第一センサ１２５がハンドル部１０３の磁石１２０を感知している状態。）異常信号が発信される。通常、この種の犯罪には強力な磁力をもつ磁石が用いられるが、並の磁力の磁石であっても第二センサ１２７に感知されて異常信号が発信されるため、ハンドル部１０３が不正回動される前にも異常事態を報知することができる。
【００４６】
また、表１において、「４」で示されたパターン（以下、パターン４という。）は、外部からの不法侵入者が外部から不正に磁石１２１を近接させ、第一センサ１２５に感知される磁石１２０を備えたハンドル部１０３を不正回動させた場合を表している。上記パターン３とは異なり、磁石１２１は第二センサ１２７にのみ感知されている。外部の磁石１２１が第一センサ１２５に感知されていないまま、ハンドル部１０３の不正回動がなされているため、第一センサ１２５、および第二センサ１２７の感知状態から制御装置が異常を認識し、子機１５０から異常信号が発信される。
【００４７】
また、第一センサ１２５、および第二センサ１２７とは、ガラスパネル６５、および７５から等距離の位置に配置されており、外部から不正に近接された磁石１２１の感知の差がでないようになっている。
【００４８】
図７は、子機１５０に内蔵されている制御装置（図示せず。）が実行する処理のフローチャートを示す。なお、表１に示したパターン１〜４を参照しつつ説明する。まず、パターン１に該当する処理のフローについて説明する。防犯システムが作動されると、磁石１２０、および磁石１２１が、第一センサ１２５に感知されたかどうかが判断される（ステップＳ１）。ステップＳ１において肯定判断された場合には、第二センサ１２７に、磁石１２１が感知されたかどうかが判断される（ステップＳ３）。ステップＳ３において否定判断された場合には、処理は再びステップＳ１に戻される。パターン１では、異常信号は発信されない。
【００４９】
次に、パターン２に該当する処理のフローについて説明する。防犯システムが作動されると、磁石１２０、および磁石１２１が、第一センサ１２５に感知されたかどうかが判断される（ステップＳ１）。ステップＳ１において否定判断された場合には、第二センサ１２７に、磁石１２１が感知されたかどうかが判断される（ステップＳ２）。ステップＳ２において否定判断された場合には、子機１５０から異常信号Iが発信される（ステップ４）。異常信号Iが発信される原因として、家人による鍵のかけ忘れや、磁石１２０を使用しない賊の侵入が考えられる。
【００５０】
また、パターン３に該当する処理のフローは以下のとおりである。まず、防犯システムが作動されると、磁石１２０、および磁石１２１が、第一センサ１２５に感知されたかどうかが判断される（ステップＳ１）。ステップＳ１において肯定判断された場合には、第二センサ１２７に、磁石１２１が感知されたかどうかが判断される（ステップＳ３）。ステップＳ３において肯定判断された場合には、子機１５０から異常信号IIが発信される（ステップＳ５）。異常信号IIが発信される原因として、第一センサ１２５を偽施錠状態に見せかけるため、磁石１２０を使用した不法侵入のプロによる手口が考えられる。
【００５１】
また、パターン４に該当する処理のフローは以下のとおりである。まず、防犯システムが作動されると、磁石１２０、および磁石１２１が、第一センサ１２５に感知されたかどうかが判断される（ステップＳ１）。ステップＳ１において否定判断された場合には、第二センサ１２７により、磁石１２１が感知されたかどうかが判断される（ステップＳ２）。ステップＳ２において肯定判断された場合には、子機１５０から異常信号IIが発信される（ステップＳ５）。異常信号IIは、上記パターン３において説明した手口と同様の理由により発信される。
【００５２】
図８には、本発明のアラーム装置を備えた防犯システムを概略的に示す。この防犯システムは、上記クレセント１００ａ、および子機１５０ａを備えた窓Ｗと、窓Ｗの子機１５０ａと無線通信可能に構成された親機１６０とを備えている。
【００５３】
親機１６０は例えば玄関等の防犯システムの作動をオン、オフに操作しやすい場所に設置され、例えば、台所、和室、浴室等に設置された窓Ｗ(二枚障子を例として説明する。)の子機１５０ａからのクレセント１００ａの施解錠信号を受信して、受信表示を行う表示装置１６１を備えている。表示装置１６１により、建物管理者等は建物に設けられている窓がどのような施解錠状態におかれているかを瞬時に知ることができる。
【００５４】
一方、親機１６０から、外出先の関係者や建物管理者の携帯電話、もしくはコンピューター等に信号を送信することも可能であり、異常信号を受信した場合には時間を経ずして知らせることも可能である。
【００５５】
また、クレセント１００に備えられたハンドル部１０３は、台座部１０１より突出しないよう丈を短くすることもできるため、ハンドル部１０３の回動軌跡を小さくすることが可能になる。かかるクレセントは種々の窓に取り付けることができることから、窓Ｗのような二枚障子以外にも取り付け可能である。例えば、本発明の開口部装置２００を室内側に和障子が配置された引き違い窓として構成してもよい。
【００５６】
また、本実施の形態においては引き違い窓を例として説明したが、クレセントが取り付けられる形態であればよく、本発明は、片引き窓、上げ下げ窓にも適用可能である。また、ねじカバー１１０を備えたクレセントが予め取り付けてある建物においては、上記の第一センサ１２５が後付けで取り付けられるため、第二センサ１２７を備えた子機１５０、および親機１６０を取り付けることによってアラーム装置を後付けすることも可能である。
【００５７】
以上、現時点において、もっとも、実践的であり、かつ、好ましいと思われる実施形態に関連して本発明を説明したが、本発明は、本願明細書中に開示された実施形態に限定されるものではなく、請求の範囲および明細書全体から読み取れる発明の要旨或いは思想に反しない範囲で適宜変更可能であり、そのような変更を伴うアラーム装置、および開口部装置もまた本発明の技術的範囲に包含されるものとして理解されなければならない。
【図面の簡単な説明】
【００５８】
【図１】引き違い窓を室外側から示す正面図である。
【図２】図１におけるII−II線に沿った断面図である。
【図３】クレセントが施錠状態にある様子を示す図である。（ａ）には左側面図を、また（ｂ）には正面図を示す。
【図４】ねじカバーを示す側面図である。（ａ）には左側面図を、また（ｂ）には右側面図を示す。
【図５】クレセント、および子機が装着されている様子を概略的に示した斜視図である。
【図６】クレセントに、外部から磁石が近接されている様子を概略的に示した斜視図である。
【図７】子機に内蔵されている制御装置のフローチャートを示す。
【図８】アラーム装置が作動する様子を概略的に示す図である。
【図９】従来例を示す図である。
【符号の説明】
【００５９】
５０  枠体
５１  上枠
５２  下枠
５３  右縦枠
５４  左縦枠
６０  内障子（可動障子）
６１  上框
６２  下框
６３  右縦框
６４  左縦框
１０３  ハンドル部（回動部）
１０１  台座部(固定部）
１００  クレセント（施解錠装置）
１２０  磁石
１２５  第一センサ（第１の磁気センサ）
１２７  第二センサ（第２の磁気センサ）
１５０  子機（制御部）
２００  引き違い窓（開口部装置）
【図１】
2005113616.tif 000004
【図２】
2005113616.tif 000005
【図３】
2005113616.tif 000006
【図４】
2005113616.tif 000007
【図５】
2005113616.tif 000008
【図６】
2005113616.tif 000009
【図７】
2005113616.tif 000010
【図８】
2005113616.tif 000011
【図９】
2005113616.tif 000012